(57)【特許請求の範囲】
【請求項１】
負の屈折力のレンズ群と正の屈折力のレンズ群を有し、ズーミングとフォーカシングの少なくとも一方のために隣り合うレンズ群の間隔が変化するズームレンズにおいて、
負の屈折力のレンズ群のうち最も物体側に位置するレンズ群であるレンズ群Ｌｖ、該レンズ群Ｌｖの像側に位置する正の屈折力のレンズ群のうち最も物体側に位置するレンズ群であるレンズ群Ｌｐを有し、
前記ズームレンズは、前記レンズ群Ｌｐの像側に配置され、フォーカシングに際して移動する負の屈折力のレンズ群Ｆｎ１と、該レンズ群Ｆｎ１の像側に配置され、フォーカシングに際して前記レンズ群Ｆｎ１と異なる軌跡で移動する負の屈折力のレンズ群Ｆｎ２をさらに有し、
広角端における全系の焦点距離をｆｗ、望遠端における全系の焦点距離をｆｔとして、全系の焦点距離ｆａが
ｆａ＞０．８×ｆｔ＋０．２×ｆｗ
を満足するズーム領域を望遠領域とするとき、
望遠領域の第１のズーム位置において、無限遠から至近距離へのフォーカシングに際して前記レンズ群Ｆｎ１は物体側へ移動し、前記レンズ群Ｆｎ２は像側へ移動し、
前記レンズ群Ｆｎ１の焦点距離をｆＦｎ１、前記レンズ群Ｆｎ２の焦点距離をｆＦｎ２、前記第１のズーム位置における無限遠から至近距離へのフォーカシングに際しての前記レンズ群Ｆｎ１の移動量をＤｎ１ｔ、前記第１のズーム位置における無限遠から至近距離へのフォーカシングに際しての前記レンズ群Ｆｎ２の移動量をＤｎ２ｔとし、無限遠に合焦しているときと比較して至近距離に合焦しているときに像側へ位置するときのレンズ群の移動量の符号を正とするとき、
−０．５００＜（Ｄｎ１ｔ／ｆＦｎ１）／（Ｄｎ２ｔ／ｆＦｎ２）≦−０．１３
なる条件式を満足することを特徴とするズームレンズ。
【請求項２】
前記望遠領域の全てのズーム位置において、無限遠から至近距離へのフォーカシングに際して、前記レンズ群Ｆｎ１は物体側へ移動し、前記レンズ群Ｆｎ２は像側へ移動することを特徴とする請求項１に記載のズームレンズ。
【請求項３】
前記レンズ群Ｆｎ１と前記レンズ群Ｆｎ２との間に正の屈折力のレンズ群Ｌｐ２を有することを特徴とする請求項１又は２に記載のズームレンズ。
【請求項４】
前記レンズ群Ｌｐ２の焦点距離をｆＬｐ２とするとき、
０．３＜｜ｆＬｐ２／ｆＦｎ２｜＜３．０
なる条件式を満足することを特徴とする請求項３に記載のズームレンズ。
【請求項５】
フォーカシングに際して移動するレンズ群は、前記レンズ群Ｆｎ１と前記レンズ群Ｆｎ２のみであることを特徴とする請求項１乃至４のいずれか１項に記載のズームレンズ。 
【請求項６】
全系の焦点距離ｆｂが
ｆｂ＜０．８×ｆｗ＋０．２×ｆｔ
を満足するズーム領域を広角領域とするとき、
広角領域の第２のズーム位置において、無限遠から至近距離へのフォーカシングに際して前記レンズ群Ｆｎ１は像側へ移動し、前記レンズ群Ｆｎ２は像側へ移動し、前記第２のズーム位置における無限遠から至近距離へのフォーカシングに際しての前記レンズ群Ｆｎ１の移動量をＤｎ１ｗ、前記第２のズーム位置における無限遠から至近距離へのフォーカシングに際しての前記レンズ群Ｆｎ２の移動量をＤｎ２ｗとし、無限遠に合焦しているときと比較して至近距離に合焦しているときに像側へ位置するときのレンズ群の移動量の符号を正とするとき、
２．０＜（Ｄｎ１ｗ／ｆＦｎ１）／（Ｄｎ２ｗ／ｆＦｎ２）＜１０．０
なる条件式を満足することを特徴とする請求項１乃至５のいずれか１項に記載のズームレンズ。
【請求項７】
全系の焦点距離ｆｂが
ｆｂ＜０．８×ｆｗ＋０．２×ｆｔ
を満足するズーム領域を広角領域とするとき、
広角領域の第２のズーム位置において、無限遠から至近距離へのフォーカシングに際して前記レンズ群Ｆｎ１は物体側へ移動し、前記レンズ群Ｆｎ２は像側へ移動し、前記第２のズーム位置における無限遠から至近距離へのフォーカシングに際しての前記レンズ群Ｆｎ１の移動量をＤｎ１ｗ、前記第２のズーム位置における無限遠から至近距離へのフォーカシングに際しての前記レンズ群Ｆｎ２の移動量をＤｎ２ｗとし、無限遠に合焦しているときと比較して至近距離に合焦しているときに像側へ位置するときのレンズ群の移動量の符号を正とするとき、
−５．０＜（Ｄｎ１ｗ／ｆＦｎ１）／（Ｄｎ２ｗ／ｆＦｎ２）＜−０．１
なる条件式を満足することを特徴とする請求項１乃至５のいずれか１項に記載のズームレンズ。
【請求項８】
広角端から望遠端へのズーミングに際して、前記レンズ群Ｆｎ２が物体側に移動することを特徴とする請求項１乃至７のいずれか１項に記載のズームレンズ。
【請求項９】
前記レンズ群Ｆｎ１は２枚以下のレンズより構成されることを特徴とする請求項１乃至８のいずれか１項に記載のズームレンズ。
【請求項１０】
前記レンズ群Ｆｎ２は２枚以下のレンズより構成されることを特徴とする請求項１乃至９のいずれか１項に記載のズームレンズ。
【請求項１１】
前記ズームレンズは、物体側から像側へ順に配置された、正の屈折力の第１レンズ群、負の屈折力の第２レンズ群、正の屈折力の第３レンズ群、負の屈折力の第４レンズ群、正の屈折力の第５レンズ群、負の屈折力の第６レンズ群よりなり、
前記第４レンズ群は前記レンズ群Ｆｎ１であり、前記第６レンズ群は前記レンズ群Ｆｎ２であることを特徴とする請求項１乃至１０のいずれか１項に記載のズームレンズ。 
【請求項１２】
ズーミングに際して前記第２レンズ群は不動であり、広角端から望遠端へのズーミングに際して前記第１レンズ群、前記第３レンズ群乃至第６レンズ群は物体側へ移動することを特徴とする請求項１１に記載のズームレンズ。
【請求項１３】
ズーミングに際して前記第２レンズ群と前記第５レンズ群は不動であり、広角端から望遠端へのズーミングに際して前記第１レンズ群、前記第３レンズ群、前記第６レンズ群は物体側へ移動し、前記第４レンズ群は像側へ移動することを特徴とする請求項１１に記載のズームレンズ。
【請求項１４】
前記ズームレンズは、物体側から像側へ順に配置された、正の屈折力の第１レンズ群、負の屈折力の第２レンズ群、正の屈折力の第３レンズ群、負の屈折力の第４レンズ群、正の屈折力の第５レンズ群、負の屈折力の第６レンズ群、正の屈折力の第７レンズ群よりなり、
前記第４レンズ群は前記レンズ群Ｆｎ１であり、前記第６レンズ群は前記レンズ群Ｆｎ２であることを特徴とする請求項１乃至１０のいずれか１項に記載のズームレンズ。 
【請求項１５】
ズーミングに際して前記第２レンズ群と前記第７レンズ群は不動であり、広角端から望遠端へのズーミングに際して前記第１レンズ群、前記第３レンズ群乃至前記第６レンズ群は物体側へ移動することを特徴とする請求項１４に記載のズームレンズ。
【請求項１６】
前記レンズ群Ｌｖの焦点距離をｆＬｖとするとき、
０．０５＜｜ｆＬｖ／ｆｔ｜＜０．３０
なる条件式を満足することを特徴とする請求項１乃至１５のいずれか１項に記載のズームレンズ。
【請求項１７】
前記レンズ群Ｌｐの焦点距離をｆＬｐとするとき、
０．０５＜ｆＬｐ／ｆｔ＜０．４０
なる条件式を満足することを特徴とする請求項１乃至１６のいずれか１項に記載のズームレンズ。
【請求項１８】
請求項１乃至１７のいずれか１項に記載のズームレンズであって、
０．１０＜｜ｆＦｎ１／ｆｔ｜＜０．８０
なる条件式を満足することを特徴とするズームレンズ。
【請求項１９】
請求項１乃至１８のいずれか１項に記載のズームレンズであって、
０．０５＜｜ｆＦｎ２／ｆｔ｜＜０．４０
なる条件式を満足することを特徴とするズームレンズ。
【請求項２０】
負の屈折力のレンズ群と正の屈折力のレンズ群を有し、ズーミングとフォーカシングの少なくとも一方のために隣り合うレンズ群の間隔が変化するズームレンズにおいて、
負の屈折力のレンズ群のうち最も物体側に位置するレンズ群であるレンズ群Ｌｖ、該レンズ群Ｌｖの像側に位置する正の屈折力のレンズ群のうち最も物体側に位置するレンズ群であるレンズ群Ｌｐを有し、
前記ズームレンズは、前記レンズ群Ｌｐの像側に配置され、フォーカシングに際して移動する負の屈折力のレンズ群Ｆｎ１と、該レンズ群Ｆｎ１の像側に配置され、フォーカシングに際して前記レンズ群Ｆｎ１と異なる軌跡で移動する負の屈折力のレンズ群Ｆｎ２をさらに有し、
広角端における全系の焦点距離をｆｗ、望遠端における全系の焦点距離をｆｔとして、全系の焦点距離ｆａが
ｆａ＞０．８×ｆｔ＋０．２×ｆｗ
を満足するズーム領域を望遠領域とするとき、
望遠領域の第１のズーム位置において、無限遠から至近距離へのフォーカシングに際して前記レンズ群Ｆｎ１は物体側へ移動し、前記レンズ群Ｆｎ２は像側へ移動し、
前記レンズ群Ｆｎ１の焦点距離をｆＦｎ１、前記レンズ群Ｆｎ２の焦点距離をｆＦｎ２、前記第１のズーム位置における無限遠から至近距離へのフォーカシングに際しての前記レンズ群Ｆｎ１の移動量をＤｎ１ｔ、前記第１のズーム位置における無限遠から至近距離へのフォーカシングに際しての前記レンズ群Ｆｎ２の移動量をＤｎ２ｔとし、無限遠に合焦しているときと比較して至近距離に合焦しているときに像側へ位置するときのレンズ群の移動量の符号を正とするとき、
−０．５００＜（Ｄｎ１ｔ／ｆＦｎ１）／（Ｄｎ２ｔ／ｆＦｎ２）＜−０．１００
なる条件式を満足し、かつ、
全系の焦点距離ｆｂが
ｆｂ＜０．８×ｆｗ＋０．２×ｆｔ
を満足するズーム領域を広角領域とするとき、
広角領域の第２のズーム位置において、無限遠から至近距離へのフォーカシングに際して前記レンズ群Ｆｎ１は像側へ移動し、前記レンズ群Ｆｎ２は像側へ移動し、前記第２のズーム位置における無限遠から至近距離へのフォーカシングに際しての前記レンズ群Ｆｎ１の移動量をＤｎ１ｗ、前記第２のズーム位置における無限遠から至近距離へのフォーカシングに際しての前記レンズ群Ｆｎ２の移動量をＤｎ２ｗとし、無限遠に合焦しているときと比較して至近距離に合焦しているときに像側へ位置するときのレンズ群の移動量の符号を正とするとき、
２．０＜（Ｄｎ１ｗ／ｆＦｎ１）／（Ｄｎ２ｗ／ｆＦｎ２）＜１０．０
なる条件式を満足することを特徴とするズームレンズ。
【請求項２１】
物体側から像側へ順に配置された、正の屈折力の第１レンズ群、負の屈折力の第２レンズ群、正の屈折力の第３レンズ群、負の屈折力の第４レンズ群、正の屈折力の第５レンズ群、負の屈折力の第６レンズ群よりなり、ズーミングとフォーカシングの少なくとも一方のために隣り合うレンズ群の間隔が変化するズームレンズにおいて、
ズーミングに際して前記第２レンズ群と前記第５レンズ群は不動であり、広角端から望遠端へのズーミングに際して前記第１レンズ群、前記第３レンズ群、前記第６レンズ群は物体側へ移動し、前記第４レンズ群は像側へ移動し、
前記第２レンズ群をレンズ群Ｌｖ、前記第３レンズ群をレンズ群Ｌｐ、前記第４レンズ群をフォーカシングに際して移動するレンズ群Ｆｎ１、前記第６レンズ群をフォーカシングに際して前記レンズ群Ｆｎ１と異なる軌跡で移動するレンズ群Ｆｎ２とし、
広角端における全系の焦点距離をｆｗ、望遠端における全系の焦点距離をｆｔとして、全系の焦点距離ｆａが
ｆａ＞０．８×ｆｔ＋０．２×ｆｗ
を満足するズーム領域を望遠領域とするとき、
望遠領域の第１のズーム位置において、無限遠から至近距離へのフォーカシングに際して前記レンズ群Ｆｎ１は物体側へ移動し、前記レンズ群Ｆｎ２は像側へ移動し、
前記レンズ群Ｆｎ１の焦点距離をｆＦｎ１、前記レンズ群Ｆｎ２の焦点距離をｆＦｎ２、前記第１のズーム位置における無限遠から至近距離へのフォーカシングに際しての前記レンズ群Ｆｎ１の移動量をＤｎ１ｔ、前記第１のズーム位置における無限遠から至近距離へのフォーカシングに際しての前記レンズ群Ｆｎ２の移動量をＤｎ２ｔとし、無限遠に合焦しているときと比較して至近距離に合焦しているときに像側へ位置するときのレンズ群の移動量の符号を正とするとき、
−０．５００＜（Ｄｎ１ｔ／ｆＦｎ１）／（Ｄｎ２ｔ／ｆＦｎ２）＜−０．１００
なる条件式を満足することを特徴とするズームレンズ。
【請求項２２】
物体側から像側へ順に配置された、正の屈折力の第１レンズ群、負の屈折力の第２レンズ群、正の屈折力の第３レンズ群、負の屈折力の第４レンズ群、正の屈折力の第５レンズ群、負の屈折力の第６レンズ群、正の屈折力の第７レンズ群よりなり、ズーミングとフォーカシングの少なくとも一方のために隣り合うレンズ群の間隔が変化するズームレンズにおいて、
前記第２レンズ群をレンズ群Ｌｖ、前記第３レンズ群をレンズ群Ｌｐ、前記第４レンズ群をフォーカシングに際して移動するレンズ群Ｆｎ１、前記第６レンズ群をフォーカシングに際して前記レンズ群Ｆｎ１と異なる軌跡で移動するレンズ群Ｆｎ２とし、
広角端における全系の焦点距離をｆｗ、望遠端における全系の焦点距離をｆｔとして、全系の焦点距離ｆａが
ｆａ＞０．８×ｆｔ＋０．２×ｆｗ
を満足するズーム領域を望遠領域とするとき、
望遠領域の第１のズーム位置において、無限遠から至近距離へのフォーカシングに際して前記レンズ群Ｆｎ１は物体側へ移動し、前記レンズ群Ｆｎ２は像側へ移動し、
前記レンズ群Ｆｎ１の焦点距離をｆＦｎ１、前記レンズ群Ｆｎ２の焦点距離をｆＦｎ２、前記第１のズーム位置における無限遠から至近距離へのフォーカシングに際しての前記レンズ群Ｆｎ１の移動量をＤｎ１ｔ、前記第１のズーム位置における無限遠から至近距離へのフォーカシングに際しての前記レンズ群Ｆｎ２の移動量をＤｎ２ｔとし、無限遠に合焦しているときと比較して至近距離に合焦しているときに像側へ位置するときのレンズ群の移動量の符号を正とするとき、
−０．５００＜（Ｄｎ１ｔ／ｆＦｎ１）／（Ｄｎ２ｔ／ｆＦｎ２）＜−０．１００
なる条件式を満足することを特徴とするズームレンズ。
【請求項２３】
ズーミングに際して前記第２レンズ群と前記第７レンズ群は不動であり、広角端から望遠端へのズーミングに際して前記第１レンズ群、前記第３レンズ群乃至前記第６レンズ群は物体側へ移動することを特徴とする請求項２２に記載のズームレンズ。
【請求項２４】
負の屈折力のレンズ群と正の屈折力のレンズ群を有し、ズーミングとフォーカシングの少なくとも一方のために隣り合うレンズ群の間隔が変化するズームレンズにおいて、
負の屈折力のレンズ群のうち最も物体側に位置するレンズ群であるレンズ群Ｌｖ、該レンズ群Ｌｖの像側に位置する正の屈折力のレンズ群のうち最も物体側に位置するレンズ群であるレンズ群Ｌｐを有し、
前記ズームレンズは、前記レンズ群Ｌｐの像側に配置され、フォーカシングに際して移動する負の屈折力のレンズ群Ｆｎ１と、該レンズ群Ｆｎ１の像側に配置され、フォーカシングに際して前記レンズ群Ｆｎ１と異なる軌跡で移動する負の屈折力のレンズ群Ｆｎ２をさらに有し、
広角端における全系の焦点距離をｆｗ、望遠端における全系の焦点距離をｆｔとして、全系の焦点距離ｆａが
ｆａ＞０．８×ｆｔ＋０．２×ｆｗ
を満足するズーム領域を望遠領域とするとき、
望遠領域の第１のズーム位置において、無限遠から至近距離へのフォーカシングに際して前記レンズ群Ｆｎ１は物体側へ移動し、前記レンズ群Ｆｎ２は像側へ移動し、
前記レンズ群Ｆｎ１の焦点距離をｆＦｎ１、前記レンズ群Ｆｎ２の焦点距離をｆＦｎ２、前記第１のズーム位置における無限遠から至近距離へのフォーカシングに際しての前記レンズ群Ｆｎ１の移動量をＤｎ１ｔ、前記第１のズーム位置における無限遠から至近距離へのフォーカシングに際しての前記レンズ群Ｆｎ２の移動量をＤｎ２ｔとし、無限遠に合焦しているときと比較して至近距離に合焦しているときに像側へ位置するときのレンズ群の移動量の符号を正とし、前記レンズ群Ｌｐの焦点距離をｆＬｐとするとき、
−０．５００＜（Ｄｎ１ｔ／ｆＦｎ１）／（Ｄｎ２ｔ／ｆＦｎ２）＜−０．１００
０．０５＜ｆＬｐ／ｆｔ＜０．４０
なる条件式を満足することを特徴とするズームレンズ。
【請求項２５】
請求項１乃至２４のいずれか１項に記載のズームレンズと、該ズームレンズによって形成された像を受光する光電変換素子を有することを特徴とする撮像装置。
【発明の詳細な説明】
【技術分野】
【０００１】
本発明は、ズームレンズ及びそれを有する撮像装置に関し、例えばデジタルスチルカメラ、デジタルビデオカメラ、ＴＶカメラ、監視カメラ等の撮像光学系に好適なものである。
【背景技術】
【０００２】
従来、撮像装置に用いられる撮像光学系は、より至近距離にフォーカシング（合焦）することができ、しかも無限遠から至近距離に至る全物体距離にわたり高い光学性能を有するズームレンズであることが要望されている。従来、フォーカシングに際しての収差変動が少なく、全物体距離にわたり高い光学性能を得るために、フォーカシングに際して２つ以上のレンズ群を移動するようにしたズームレンズが知られている。
【０００３】
このうちフォーカシングに際して移動するレンズ群の移動方向をズーム領域に応じて変化させることで全物体距離にわたり高い光学性能を得るようにしたズームレンズが知られている（特許文献１，２）。
【０００４】
特許文献１の実施例１は、物体側から像側へ順に、正、負、正、正、正、正の屈折力の第１レンズ群乃至第６レンズ群よりなるズームレンズを開示している。広角端では、無限遠から近距離のフォーカシングに際して、第２レンズ群が像側へ移動し、第４レンズ群と第５レンズ群が物体側へ移動する。中間位置では、無限遠から近距離のフォーカシングに際して、第２レンズ群と第４レンズ群と第５レンズ群が物体側へ移動する。望遠端では、無限遠から近距離のフォーカシングに際して、第２レンズ群と第５レンズ群が物体側へ移動し、第４レンズ群は像側へ移動する。
【０００５】
特許文献２の実施例２は、物体側から像側へ順に、正、負、正、正の屈折力の第１レンズ群乃至第４レンズ群よりなるズームレンズを開示している。無限遠から近距離へのフォーカシングに際して、広角端では第３レンズ群と第４レンズ群が像側へ移動し、中間位置では第２レンズ群と第３レンズ群が物体側へ移動し、望遠端では第２レンズ群が物体側へ移動する。
【先行技術文献】
【特許文献】
【０００６】
【特許文献１】特開２０１２−８３７２６号公報
【特許文献２】特開２００７−９３９７４号公報
【発明の概要】
【発明が解決しようとする課題】
【０００７】
撮像装置に用いられるズームレンズには、高速にフォーカシングができること、全ズーム範囲で全物体距離にわたり高い光学性能を有することが要望されている。このようなズームレンズを得るには、ズームタイプ及びフォーカシング用のレンズ群の数やそれらの移動条件等を適切に構成することが重要になってくる。
【０００８】
本発明は全ズーム範囲及び全物体距離にわたり高い光学性能が得られ、高速なフォーカシングが容易なズームレンズ及びそれを有する撮像装置を提供することを目的とする。
【課題を解決するための手段】
【０００９】
本発明のズームレンズは、負の屈折力のレンズ群と正の屈折力のレンズ群を有し、ズーミングとフォーカシングの少なくとも一方のために隣り合うレンズ群の間隔が変化するズームレンズにおいて、
負の屈折力のレンズ群のうち最も物体側に位置するレンズ群であるレンズ群Ｌｖ、該レンズ群Ｌｖの像側に位置する正の屈折力のレンズ群のうち最も物体側に位置するレンズ群であるレンズ群Ｌｐを有し、
前記ズームレンズは、前記レンズ群Ｌｐの像側に配置され、フォーカシングに際して移動する負の屈折力のレンズ群Ｆｎ１と、該レンズ群Ｆｎ１の像側に配置され、フォーカシングに際して前記レンズ群Ｆｎ１と異なる軌跡で移動する負の屈折力のレンズ群Ｆｎ２をさらに有し、
広角端における全系の焦点距離をｆｗ、望遠端における全系の焦点距離をｆｔとして、全系の焦点距離ｆａが
ｆａ＞０．８×ｆｔ＋０．２×ｆｗ
を満足するズーム領域を望遠領域とするとき、
望遠領域の第１のズーム位置において、無限遠から至近距離へのフォーカシングに際して前記レンズ群Ｆｎ１は物体側へ移動し、前記レンズ群Ｆｎ２は像側へ移動し、
前記レンズ群Ｆｎ１の焦点距離をｆＦｎ１、前記レンズ群Ｆｎ２の焦点距離をｆＦｎ２、前記第１のズーム位置における無限遠から至近距離へのフォーカシングに際しての前記レンズ群Ｆｎ１の移動量をＤｎ１ｔ、前記第１のズーム位置における無限遠から至近距離へのフォーカシングに際しての前記レンズ群Ｆｎ２の移動量をＤｎ２ｔとし、無限遠に合焦しているときと比較して至近距離に合焦しているときに像側へ位置するときのレンズ群の移動量の符号を正とするとき、
−０．５００＜（Ｄｎ１ｔ／ｆＦｎ１）／（Ｄｎ２ｔ／ｆＦｎ２）≦−０．１３
なる条件式を満足することを特徴としている。
この他本発明のズームレンズは、負の屈折力のレンズ群と正の屈折力のレンズ群を有し、ズーミングとフォーカシングの少なくとも一方のために隣り合うレンズ群の間隔が変化するズームレンズにおいて、
負の屈折力のレンズ群のうち最も物体側に位置するレンズ群であるレンズ群Ｌｖ、該レンズ群Ｌｖの像側に位置する正の屈折力のレンズ群のうち最も物体側に位置するレンズ群であるレンズ群Ｌｐを有し、
前記ズームレンズは、前記レンズ群Ｌｐの像側に配置され、フォーカシングに際して移動する負の屈折力のレンズ群Ｆｎ１と、該レンズ群Ｆｎ１の像側に配置され、フォーカシングに際して前記レンズ群Ｆｎ１と異なる軌跡で移動する負の屈折力のレンズ群Ｆｎ２をさらに有し、
広角端における全系の焦点距離をｆｗ、望遠端における全系の焦点距離をｆｔとして、全系の焦点距離ｆａが
ｆａ＞０．８×ｆｔ＋０．２×ｆｗ
を満足するズーム領域を望遠領域とするとき、
望遠領域の第１のズーム位置において、無限遠から至近距離へのフォーカシングに際して前記レンズ群Ｆｎ１は物体側へ移動し、前記レンズ群Ｆｎ２は像側へ移動し、
前記レンズ群Ｆｎ１の焦点距離をｆＦｎ１、前記レンズ群Ｆｎ２の焦点距離をｆＦｎ２、前記第１のズーム位置における無限遠から至近距離へのフォーカシングに際しての前記レンズ群Ｆｎ１の移動量をＤｎ１ｔ、前記第１のズーム位置における無限遠から至近距離へのフォーカシングに際しての前記レンズ群Ｆｎ２の移動量をＤｎ２ｔとし、無限遠に合焦しているときと比較して至近距離に合焦しているときに像側へ位置するときのレンズ群の移動量の符号を正とするとき、
−０．５００＜（Ｄｎ１ｔ／ｆＦｎ１）／（Ｄｎ２ｔ／ｆＦｎ２）＜−０．１００
なる条件式を満足し、かつ、
全系の焦点距離ｆｂが
ｆｂ＜０．８×ｆｗ＋０．２×ｆｔ
を満足するズーム領域を広角領域とするとき、
広角領域の第２のズーム位置において、無限遠から至近距離へのフォーカシングに際して前記レンズ群Ｆｎ１は像側へ移動し、前記レンズ群Ｆｎ２は像側へ移動し、前記第２のズーム位置における無限遠から至近距離へのフォーカシングに際しての前記レンズ群Ｆｎ１の移動量をＤｎ１ｗ、前記第２のズーム位置における無限遠から至近距離へのフォーカシングに際しての前記レンズ群Ｆｎ２の移動量をＤｎ２ｗとし、無限遠に合焦しているときと比較して至近距離に合焦しているときに像側へ位置するときのレンズ群の移動量の符号を正とするとき、
２．０＜（Ｄｎ１ｗ／ｆＦｎ１）／（Ｄｎ２ｗ／ｆＦｎ２）＜１０．０
なる条件式を満足することを特徴としている。
この他本発明のズームレンズは、物体側から像側へ順に配置された、正の屈折力の第１レンズ群、負の屈折力の第２レンズ群、正の屈折力の第３レンズ群、負の屈折力の第４レンズ群、正の屈折力の第５レンズ群、負の屈折力の第６レンズ群よりなり、ズーミングとフォーカシングの少なくとも一方のために隣り合うレンズ群の間隔が変化するズームレンズにおいて、
ズーミングに際して前記第２レンズ群と前記第５レンズ群は不動であり、広角端から望遠端へのズーミングに際して前記第１レンズ群、前記第３レンズ群、前記第６レンズ群は物体側へ移動し、前記第４レンズ群は像側へ移動し、
前記第２レンズ群をレンズ群Ｌｖ、前記第３レンズ群をレンズ群Ｌｐ、前記第４レンズ群をフォーカシングに際して移動するレンズ群Ｆｎ１、前記第６レンズ群をフォーカシングに際して前記レンズ群Ｆｎ１と異なる軌跡で移動するレンズ群Ｆｎ２とし、
広角端における全系の焦点距離をｆｗ、望遠端における全系の焦点距離をｆｔとして、全系の焦点距離ｆａが
ｆａ＞０．８×ｆｔ＋０．２×ｆｗ
を満足するズーム領域を望遠領域とするとき、
望遠領域の第１のズーム位置において、無限遠から至近距離へのフォーカシングに際して前記レンズ群Ｆｎ１は物体側へ移動し、前記レンズ群Ｆｎ２は像側へ移動し、
前記レンズ群Ｆｎ１の焦点距離をｆＦｎ１、前記レンズ群Ｆｎ２の焦点距離をｆＦｎ２、前記第１のズーム位置における無限遠から至近距離へのフォーカシングに際しての前記レンズ群Ｆｎ１の移動量をＤｎ１ｔ、前記第１のズーム位置における無限遠から至近距離へのフォーカシングに際しての前記レンズ群Ｆｎ２の移動量をＤｎ２ｔとし、無限遠に合焦しているときと比較して至近距離に合焦しているときに像側へ位置するときのレンズ群の移動量の符号を正とするとき、
−０．５００＜（Ｄｎ１ｔ／ｆＦｎ１）／（Ｄｎ２ｔ／ｆＦｎ２）＜−０．１００
なる条件式を満足することを特徴としている。
この他本発明のズームレンズは、物体側から像側へ順に配置された、正の屈折力の第１レンズ群、負の屈折力の第２レンズ群、正の屈折力の第３レンズ群、負の屈折力の第４レンズ群、正の屈折力の第５レンズ群、負の屈折力の第６レンズ群、正の屈折力の第７レンズ群よりなり、ズーミングとフォーカシングの少なくとも一方のために隣り合うレンズ群の間隔が変化するズームレンズにおいて、
前記第２レンズ群をレンズ群Ｌｖ、前記第３レンズ群をレンズ群Ｌｐ、前記第４レンズ群をフォーカシングに際して移動するレンズ群Ｆｎ１、前記第６レンズ群をフォーカシングに際して前記レンズ群Ｆｎ１と異なる軌跡で移動するレンズ群Ｆｎ２とし、
広角端における全系の焦点距離をｆｗ、望遠端における全系の焦点距離をｆｔとして、全系の焦点距離ｆａが
ｆａ＞０．８×ｆｔ＋０．２×ｆｗ
を満足するズーム領域を望遠領域とするとき、
望遠領域の第１のズーム位置において、無限遠から至近距離へのフォーカシングに際して前記レンズ群Ｆｎ１は物体側へ移動し、前記レンズ群Ｆｎ２は像側へ移動し、
前記レンズ群Ｆｎ１の焦点距離をｆＦｎ１、前記レンズ群Ｆｎ２の焦点距離をｆＦｎ２、前記第１のズーム位置における無限遠から至近距離へのフォーカシングに際しての前記レンズ群Ｆｎ１の移動量をＤｎ１ｔ、前記第１のズーム位置における無限遠から至近距離へのフォーカシングに際しての前記レンズ群Ｆｎ２の移動量をＤｎ２ｔとし、無限遠に合焦しているときと比較して至近距離に合焦しているときに像側へ位置するときのレンズ群の移動量の符号を正とするとき、
−０．５００＜（Ｄｎ１ｔ／ｆＦｎ１）／（Ｄｎ２ｔ／ｆＦｎ２）＜−０．１００
なる条件式を満足することを特徴としている。
この他本発明のズームレンズは、負の屈折力のレンズ群と正の屈折力のレンズ群を有し、ズーミングとフォーカシングの少なくとも一方のために隣り合うレンズ群の間隔が変化するズームレンズにおいて、
負の屈折力のレンズ群のうち最も物体側に位置するレンズ群であるレンズ群Ｌｖ、該レンズ群Ｌｖの像側に位置する正の屈折力のレンズ群のうち最も物体側に位置するレンズ群であるレンズ群Ｌｐを有し、
前記ズームレンズは、前記レンズ群Ｌｐの像側に配置され、フォーカシングに際して移動する負の屈折力のレンズ群Ｆｎ１と、該レンズ群Ｆｎ１の像側に配置され、フォーカシングに際して前記レンズ群Ｆｎ１と異なる軌跡で移動する負の屈折力のレンズ群Ｆｎ２をさらに有し、
広角端における全系の焦点距離をｆｗ、望遠端における全系の焦点距離をｆｔとして、全系の焦点距離ｆａが
ｆａ＞０．８×ｆｔ＋０．２×ｆｗ
を満足するズーム領域を望遠領域とするとき、
望遠領域の第１のズーム位置において、無限遠から至近距離へのフォーカシングに際して前記レンズ群Ｆｎ１は物体側へ移動し、前記レンズ群Ｆｎ２は像側へ移動し、
前記レンズ群Ｆｎ１の焦点距離をｆＦｎ１、前記レンズ群Ｆｎ２の焦点距離をｆＦｎ２、前記第１のズーム位置における無限遠から至近距離へのフォーカシングに際しての前記レンズ群Ｆｎ１の移動量をＤｎ１ｔ、前記第１のズーム位置における無限遠から至近距離へのフォーカシングに際しての前記レンズ群Ｆｎ２の移動量をＤｎ２ｔとし、無限遠に合焦しているときと比較して至近距離に合焦しているときに像側へ位置するときのレンズ群の移動量の符号を正とし、前記レンズ群Ｌｐの焦点距離をｆＬｐとするとき、
−０．５００＜（Ｄｎ１ｔ／ｆＦｎ１）／（Ｄｎ２ｔ／ｆＦｎ２）＜−０．１００
０．０５＜ｆＬｐ／ｆｔ＜０．４０
なる条件式を満足することを特徴としている。
【発明の効果】
【００１０】
本発明によれば、全ズーム範囲及び全物体距離にわたり高い光学性能を有するズームレンズが得られる。
【図面の簡単な説明】
【００１１】
【図１】（Ａ）、（Ｂ）  本発明における実施例１のズームレンズの広角端と、望遠端におけるレンズ断面図
【図２】（Ａ）、（Ｂ）  本発明における数値実施例１の無限遠のときの広角端と望遠端における収差図
【図３】（Ａ）、（Ｂ）  本発明における数値実施例１の至近距離のときの広角端と望遠端における収差図
【図４】（Ａ）、（Ｂ）  本発明における実施例２のズームレンズの広角端と、望遠端におけるレンズ断面図
【図５】（Ａ）、（Ｂ）  本発明における数値実施例２の無限遠のときの広角端と望遠端における収差図
【図６】（Ａ）、（Ｂ）  本発明における数値実施例２の至近距離のときの広角端と望遠端における収差図
【図７】（Ａ）、（Ｂ）  本発明における実施例３のズームレンズの広角端と、望遠端におけるレンズ断面図
【図８】（Ａ）、（Ｂ）  本発明における数値実施例３の無限遠のときの広角端と望遠端における収差図
【図９】（Ａ）、（Ｂ）  本発明における数値実施例３の至近距離のときの広角端と望遠端における収差図
【図１０】（Ａ）、（Ｂ）  本発明における実施例４のズームレンズの広角端と、望遠端におけるレンズ断面図
【図１１】（Ａ）、（Ｂ）  本発明における数値実施例４の無限遠のときの広角端と望遠端における収差図
【図１２】（Ａ）、（Ｂ）  本発明における数値実施例４の至近距離のときの広角端と望遠端における収差図
【図１３】本発明の撮像装置の要部概略図
【発明を実施するための形態】
【００１２】
以下、本発明のズームレンズ及びそれを有する撮像装置の実施例について説明する。本発明のズームレンズは、負の屈折力（パワー）のレンズ群と正の屈折力のレンズ群を有し、ズーミングとフォーカシングの少なくとも一方のために隣り合うレンズ群の間隔が変化する。負の屈折力のレンズ群のうち最も物体側に位置するレンズ群であるレンズ群Ｌｖ、レンズ群Ｌｖの像側に位置する正の屈折力のレンズ群のうち最も物体側に位置するレンズ群であるレンズ群Ｌｐを有する。
【００１３】
レンズ群Ｌｐの像側に配置され、フォーカシングに際して移動する負の屈折力のレンズ群Ｆｎ１と、レンズ群Ｆｎ１の像側に配置され、フォーカシングに際してレンズ群Ｆｎ１と異なる軌跡で移動する負の屈折力のレンズ群Ｆｎ２をさらに有する。レンズ群Ｆｎ１とレンズ群Ｆｎ２との間に正の屈折力のレンズ群Ｌｐ２を有する場合もある。
【００１４】
図１（Ａ）、（Ｂ）は本発明の実施例１のズームレンズの広角端（短焦点距離端）と望遠端（長焦点距離端）におけるレンズ断面図である。図２（Ａ）、（Ｂ）はそれぞれ数値実施例１のズームレンズの無限遠に合焦したときの広角端と望遠端における収差図である。図３（Ａ）、（Ｂ）はそれぞれ数値実施例１のズームレンズの至近距離（撮影距離１．２ｍ）に合焦したときの広角端と望遠端における収差図である（撮影距離は後述する数値実施例の数値をｍｍ単位で表したときである。以下同じ）。
【００１５】
図４（Ａ）、（Ｂ）は本発明の実施例２のズームレンズの広角端と望遠端におけるレンズ断面図である。図５（Ａ）、（Ｂ）はそれぞれ数値実施例２のズームレンズの無限遠に合焦したときの広角端と望遠端における収差図である。図６（Ａ）、（Ｂ）はそれぞれ数値実施例２のズームレンズの至近距離（撮影距離１．２ｍ）に合焦したときの広角端と望遠端における収差図である。
【００１６】
図７（Ａ）、（Ｂ）は本発明の実施例３のズームレンズの広角端と望遠端におけるレンズ断面図である。図８（Ａ）、（Ｂ）はそれぞれ数値実施例３のズームレンズの無限遠に合焦したときの広角端と望遠端における収差図である。図９（Ａ）、（Ｂ）はそれぞれ数値実施例３のズームレンズの至近距離（撮影距離１．１７ｍ）に合焦したときの広角端と望遠端における収差図である。
【００１７】
図１０（Ａ）、（Ｂ）は本発明の実施例４のズームレンズの広角端と望遠端におけるレンズ断面図である。図１１（Ａ）、（Ｂ）はそれぞれ数値実施例４のズームレンズの無限遠に合焦したときの広角端と望遠端における収差図である。図１２（Ａ）、（Ｂ）はそれぞれ数値実施例４のズームレンズの至近距離（撮影距離１．００ｍ）に合焦したときの広角端と望遠端における収差図である。図１３は本発明のズームレンズを備える一眼レフカメラ（撮像装置）の要部概略図である。
【００１８】
各実施例のズームレンズはビデオカメラやデジタルカメラそして銀塩フィルムカメラ等の撮像装置に用いられる撮影レンズ系（光学系）である。レンズ断面図において、左方が物体側（前方）で、右方が像側（後方）である。レンズ断面図において、ｉは物体側からのレンズ群の順番を示し、Ｌｉは第ｉレンズ群である。
【００１９】
ＳＰは開口絞りである。ＩＰは像面であり、ビデオカメラやデジタルスチルカメラの撮影光学系として使用する際にはＣＣＤセンサやＣＭＯＳセンサ等の固体撮像素子（光電変換素子）の撮像面に、銀塩フィルム用カメラのときはフィルム面に相当する。矢印は広角端から望遠端へのズーミングにおける各レンズ群の移動軌跡を示している。また太い矢印は無限遠物体から至近距離物体へのフォーカシングに際しての移動方向を示している。
【００２０】
収差図のうち、球面収差図において実線はｄ線、破線はｇ線である。非点収差図において破線はｄ線でのメリディオナル像面、実線はｄ線でのサジタル像面である。また、歪曲を示す図はｄ線における歪曲を示している。倍率色収差はｇ線について示している。ＦｎｏはＦナンバー、ωは半画角（度）である。尚、以下の各実施例において広角端と望遠端は変倍用レンズ群が機構上光軸上を移動可能な範囲の両端に位置したときのズーム位置をいう。
【００２１】
実施例１、３、４は、物体側から像側へ順に配置された、正の屈折力の第１レンズ群Ｌ１、負の屈折力の第２レンズ群Ｌ２、正の屈折力の第３レンズ群Ｌ３、負の屈折力の第４レンズ群Ｌ４、正の屈折力の第５レンズ群Ｌ５、負の屈折力の第６レンズ群Ｌ６よりなる。
【００２２】
実施例２は、物体側から像側へ順に配置された、正の屈折力の第１レンズ群Ｌ１、負の屈折力の第２レンズ群Ｌ２、正の屈折力の第３レンズ群Ｌ３、負の屈折力の第４レンズ群Ｌ４、正の屈折力の第５レンズ群Ｌ５、負の屈折力の第６レンズ群Ｌ６、正の屈折力の第７レンズ群Ｌ７よりなる。
【００２３】
各実施例において第２レンズ群Ｌ２はレンズ群Ｌｖ、第３レンズ群Ｌ３はレンズ群Ｌｐに相当する。第４レンズ群Ｌ４はレンズ群Ｆｎ１、第６レンズ群Ｌ６はレンズ群Ｆｎ２に相当する。第５レンズ群Ｌ５はレンズ群Ｌｐ２に相当する。
【００２４】
各実施例において、ズーミングとフォーカシングの少なくとも一方のために隣り合うレンズ群の間隔が変化する。レンズ群は、複数のレンズによって構成されるだけでなく、１枚のレンズによって構成されても良い。
【００２５】
まず、本発明のズームレンズの特徴を説明する。従来、ズームレンズにおいてはズームタイプによって種々なフォーカス方式が知られている。例えば、正、負、負、正、負の屈折力の第１レンズ群乃至第５レンズ群よりなるポジティブリード型の５群ズームレンズにおいて、第１レンズ群を物体側に移動させることで、無限遠から近距離へのフォーカシングを行うフォーカス方式が知られている。
【００２６】
通常、第１レンズ群でフォーカシングを行う場合、像側から第２レンズ群までの光線高があまり変わらないため、第１レンズ群のレンズ形状のみ最適化することで、物体距離による光学性能の変動を比較的小さくすることができる。しかしながら第１レンズ群は、広角端での軸外主光線の入射高、及び望遠端での軸上光線の入射高が最も大きくなるため、全系中で最も有効径が大きくなり、重量も圧倒的に重くなってしまう。それ故、アクチュエーターへの負荷が大きく、駆動騒音も大きくなり、例えば動画撮影時の音声録音に駆動音が入り込んでしまい、動画用の撮影レンズとしては好ましくない。
【００２７】
また、オートフォーカスの際の駆動速度が遅くなってしまうため、好ましくない。また、正、負、負、正、負、正の屈折力の第１レンズ群乃至第６レンズ群よりなるポジティブリード型の６群ズームレンズが知られている。この６群ズームレンズにおいて、小型軽量の第５レンズ群を物体側に移動させることで無限遠物体から近距離物体へのフォーカシングを行うフォーカス方式が知られている。このフォーカス方式は駆動音を小さくしやすいものの、第５レンズ群は、望遠端において軸上光線の入射高が小さいため、フォーカス敏感度が小さくなりやすい。
【００２８】
このため、フォーカシングに際しての移動量が大きくなり、オートフォーカスの際のフォーカス速度が遅くなる傾向がある。また、第５レンズ群でフォーカシングをすると、第５レンズ群への光線の入射高が変化するだけでなく、第５レンズ群から物体側の全てのレンズ群での光線高が変化してくる。特に望遠型のズームレンズにおいては、第１レンズ群に向かって広角端の軸外主光線の入射高と、望遠端での軸上光線の入射高が大きくなる。
【００２９】
このため、光線の入射高が変動した場合、それらに関連する収差の変動が大きくなる。具体的には、広角側における像面湾曲の変動と、望遠側における球面収差の変動が大きくなる。また、正、負、正、負、正、負の屈折力の第１レンズ群乃至第６レンズ群よりなるポジティブリード型の６群ズームレンズにおいて、フォーカシングに際して、第４レンズ群と第６レンズ群を共に駆動させるフローティング方式が知られている。具体的には、無限遠から近距離へのフォーカシングに際して第６レンズ群を像側に移動させることで、主にフォーカス効果を得つつ、第４レンズ群を物体側に移動させている。
【００３０】
これにより、広角側において軸外主光線の入射高の変動を小さくし、像面湾曲の変動を小さくしている。しかしながら、第４レンズ群を物体側へ移動させた場合、望遠側における球面収差の変動を効果的に補正することが難しい。また、第６レンズ群のフォーカス効果を打ち消す方向に移動するため、フォーカシングに際して第６レンズ群の移動量が大きくなり、オートフォーカスの際のフォーカス速度が遅くなる傾向があった。
【００３１】
これらのフォーカス方式に対して、本発明のズームレンズでは、望遠端においてフォーカシングによる球面収差の変動を効果的に低減することができる。更に、フォーカシングの際のレンズ群の移動量を小さくして高速フォーカスが容易なフォーカス方式を採用している。フォーカシングに際して２つのレンズ群を移動させるフォーカス方式は収差変動を軽減するのに有効である。２つのレンズ群を駆動するとアクチュエーターに掛かる負荷が増え、駆動騒音が増してくる。そのため、有効径が極力小さく重量が軽くなる２つのレンズ群をフォーカスレンズ群として選ぶのが良い。
【００３２】
本発明のズームレンズでは、変倍用の負の屈折力のレンズ群Ｌｖの像側に配置される正の屈折力のレンズ群Ｌｐによって、像側に向かって収束光束とした光路中に２つのフォーカシング用のレンズ群を配置している。これによりフォーカシング用のレンズ群を小径化し、２つのレンズ群を足しても十分に軽量となるようにしている。このときの２つのフォーカスレンズ群は、物体側より像側へ順に配置された、負の屈折力のレンズ群Ｆｎ１と負の屈折力のレンズ群Ｆｎ２である。
【００３３】
一般にズームレンズの望遠端における全系の焦点距離を効果的に長くするためには、物体側に正の屈折力のレンズ群を配置し、像側に負の屈折力のレンズ群を配置するテレフォトタイプのレンズ系が良い。このため、本発明では像側に負の屈折力のレンズ群を配置している。そして、望遠側においてフォーカシングの際のレンズ群の移動量を小さくするために、レンズ群Ｆｎ２の屈折力を極力強くし、フォーカス敏感度を大きくしている。
【００３４】
そうすると、望遠端において球面収差の変動が大きくなってしまう。このため、レンズ群Ｆｎ１を移動させることで、球面収差の変動を軽減している。ここで、レンズ群Ｆｎ２のフォーカス敏感度と球面収差の敏感度に対し、レンズ群Ｆｎ１のフォーカス敏感度を同符号、球面収差の敏感度を異符号とするレンズ群が、仮に選定できたとする。そうすると、球面収差を補正しつつフォーカス敏感度を大きくし、移動量を更に軽減できる。
【００３５】
本発明では、レンズ群Ｆｎ１とレンズ群Ｆｎ２を、正の屈折力のレンズ群Ｆｐの像側の収束光束中に配置することにより、レンズ群ＬＦ１とレンズ群ＬＦ２の軽量化を図っている。このような構成としているために、フォーカス敏感度と球面収差の敏感度の符号関係を反転させることが難しくなる。そのため、本発明ではレンズ群Ｆｎ１がレンズ群Ｆｎ２に対して、球面収差の敏感度を極力大きく、フォーカス敏感度を極力小さくするようなレンズ群配置としている。これにより球面収差を補正させながらも、なるべくレンズ群Ｆｎ２で得たフォーカス敏感度を下げないようなレンズ構成としている。
【００３６】
具体的には、球面収差の敏感度が高い軸上光線の入射高が高くなる位置に、比較的弱い負の屈折力のレンズ群を配置し、屈折力と移動量との関係を最適化している。これによって、望遠端において球面収差の補正とレンズ群の繰り出し量の軽減を図っている。
【００３７】
本発明のズームレンズは、全系を構成する複数の負の屈折力のレンズ群のうち、最も物体側のレンズ群をレンズ群Ｌｖ、レンズ群Ｌｖより像側の最初の正の屈折力のレンズ群をレンズ群Ｌｐとする。このとき、レンズ群Ｌｐより像側に、物体側から像側へ順に、フォーカシングに際して互いに異なる軌跡で移動する負の屈折力のレンズ群Ｆｎ１と負の屈折力のレンズ群Ｆｎ２が配置されている。広角端における全系の焦点距離をｆｗ、望遠端における全系の焦点距離をｆｔとする。このとき、全系の焦点距離ｆａが
ｆａ＞０．８×ｆｔ＋０．２×ｆｗ    ・・・（ａ１）
を満足するズーム領域を望遠領域とする。
【００３８】
無限遠から至近距離へのフォーカシングに際して望遠領域の第１のズーム位置において、レンズ群Ｆｎ１は物体側へ移動し、レンズ群Ｆｎ２は像側へ移動する。レンズ群Ｆｎ１の焦点距離をｆＦｎ１、レンズ群Ｆｎ２の焦点距離をｆＦｎ２、望遠領域の第１のズーム位置における無限遠から至近距離へのフォーカシングに際してのレンズ群Ｆｎ１の移動量をＤｎ１ｔとする。望遠領域の第１のズーム位置における無限遠から至近距離へのフォーカシングに際してのレンズ群Ｆｎ２の移動量をＤｎ２ｔとする。無限遠に合焦しているときと比較して至近距離に合焦しているときに像側へ位置するときのレンズ群の移動量の符号を正とする。これは以下同じである。
【００３９】
このとき、
−０．５００＜（Ｄｎ１ｔ／ｆＦｎ１）／（Ｄｎ２ｔ／ｆＦｎ２）＜−０．１００
・・・（１）
なる条件式を満足する。
【００４０】
次に条件式（１）の技術的意味について説明する。条件式（１）は、レンズ群Ｆｎ１のパワー（屈折力）とレンズ群Ｆｎ１のフォーカシングに伴う移動量の比と、レンズ群Ｆｎ２のパワーとレンズ群Ｆｎ２のフォーカシングに伴う移動量の比との関係を規定する。条件式（１）は、フォーカシングに伴う球面収差の変動を補正しつつも、適切なるフォーカス敏感度を得るためのものである。
【００４１】
条件式（１）の上限値を逸脱すると、レンズ群Ｆｎ１のパワーに対するレンズ群Ｆｎ１の移動量が小さ過ぎて、フォーカシングに際して球面収差の変動を軽減するのが困難になる。条件式（１）の下限値を逸脱すると、レンズ群Ｆｎ１のパワーに対するレンズ群Ｆｎ１の移動量が大き過ぎて、レンズ群Ｆｎ２との合成フォーカス敏感度が小さくなってしまう。この結果、フォーカシングに際しての駆動量が大きくなり、フォーカシングを高速に行うことが困難になる。条件式（１）は、より好ましくは、下記の数値範囲とするのが良い。
−０．５００＜（Ｄｎ１ｔ／ｆＦｎ１）／（Ｄｎ２ｔ／ｆＦｎ２）≦−０．１３
・・・（１Ｘ）
この他条件式（１）は、より好ましくは下記の数値範囲とするのが良い。
【００４２】
−０．４００＜（Ｄｎ１ｔ／ｆＦｎ１）／（Ｄｎ２ｔ／ｆＦｎ２）＜−０．１１０
・・・（１ａ）
【００４３】
尚、条件式（ａ１）は、レンズ群Ｆｎ１とレンズ群Ｆｎ２をフォーカシングに際して異なった方向に移動することが好ましい焦点距離領域（望遠領域）を表している。条件式（ａ１）を満たす焦点距離領域は、長焦点距離側で、例えば１つの負の屈折力のレンズ群のみでフォーカシングを行った場合に球面収差の変動が大きく生じてくる領域である。各実施例のズームレンズでは、条件式（ａ１）を満たす望遠領域の第１のズーム位置において、条件式（１）を満たすことを特徴としている。各実施例において好ましくは、望遠領域の全てにおいてレンズ群Ｆｎ１は物体側へ移動し、レンズ群Ｆｎ２は像側へ移動するのが良い。
【００４４】
次に、本発明のズームレンズを構成するに当たり、より好ましい条件について説明する。２つのフォーカス用のレンズ群Ｆｎ１とレンズ群Ｆｎ２との間に、正の屈折力のレンズ群Ｌｐ２が配置されると良い。それにより、レンズ群Ｌｐ２の正の屈折力で像側に収束性が強まるため、レンズ群Ｆｎ２の負の屈折力を強くして（負の屈折力の絶対値を大きくして）フォーカス敏感度を高くするのが容易になる。レンズ群Ｌｐ２の焦点距離をｆＬｐ２とする。このとき、
０．３＜｜ｆＬｐ２／ｆＦｎ２｜＜３．０    ・・・（２）
なる条件式を満足するのが良い。
【００４５】
条件式（２）は、レンズ群Ｌｐ２とレンズ群Ｆｎ２のパワー配置を適切に設定し、レンズ群Ｆｎ２において高いフォーカス敏感度を効果的に得るためのものである。条件式（２）の上限値を逸すると、レンズ群Ｆｎ２の負のパワーが強すぎて（負の屈折力の絶対値が大きくなりすぎて）、フォーカシングにおける球面収差の変動が大きくなってしまう。条件式（２）の下限値を逸すると、レンズ群Ｆｎ２の負のパワーが弱過ぎて（負の屈折力の絶対値が小さくなりすぎて）フォーカシングに際しての移動量が大きくなってしまう。条件式（２）は、より好ましくは下記の数値範囲とするのが良い。
【００４６】
０．４＜｜ｆＬｐ２／ｆＦｎ２｜＜２．５    ・・・（２ａ）
各実施例においてフォーカシングの際に移動するレンズ群が、レンズ群Ｆｎ１とレンズ群Ｆｎ２の２つのみであると良い。フォーカシングにおいて、３つ以上のレンズ群が移動すると、駆動の際のアクチュエーターに掛かる負荷が大きくなり、駆動騒音が大きくなるため、好ましくない。
【００４７】
全系の焦点距離ｆｂが、
ｆｂ＜０．８×ｆｗ＋０．２×ｆｔ      ・・・（ａ２）
を満足するズーム領域を広角領域とする。広角領域の第２のズーム位置において無限遠から至近距離へのフォーカシングに際して、レンズ群Ｆｎ１は像側へ移動し、レンズ群Ｆｎ２は像側へ移動する。
【００４８】
広角領域の第２のズーム位置におけるレンズ群Ｆｎ１の無限遠から至近距離へのフォーカシングに際しての移動量をＤｎ１ｗとする。広角領域の第２のズーム位置におけるレンズ群Ｆｎ２の無限遠から至近距離へのフォーカシングに際してのレンズ群Ｆｎ２の移動量をＤｎ２ｗ（但し、移動量の符号は前述と同じである。）とする。このとき、
２．０＜（Ｄｎ１ｗ／ｆＦｎ１）／（Ｄｎ２ｗ／ｆＦｎ２）＜１０．０  ・・・（３）
なる条件式を満足するのが良い。
【００４９】
この他、全系の焦点距離ｆｂが、
ｆｂ＜０．８×ｆｗ＋０．２×ｆｔ      ・・・（ａ２）
を満足するズーム領域を広角領域とする。
【００５０】
このとき、広角領域の第２のズーム位置において無限遠から至近距離へのフォーカシングに際してレンズ群Ｆｎ１は物体側へ移動し、レンズ群Ｆｎ２は像側へ移動する。そして広角領域の第２のズーム位置における無限遠から至近距離へのフォーカシングに際してのレンズ群Ｆｎ１の移動量をＤｎ１ｗ、広角領域の第２のズーム位置における無限遠から至近距離へのフォーカシングに際してのレンズ群Ｆｎ２の移動量をＤｎ２ｗとする。但し、移動量の符号は前述と同じである。このとき、
−５．０＜（Ｄｎ１ｗ／ｆＦｎ１）／（Ｄｎ２ｗ／ｆＦｎ２）＜−０．１・・・（４）
なる条件式を満足するのが良い。
【００５１】
条件式（３）は条件式（ａ２）を満足する広角領域の第２のズーム位置において、無限遠から至近距離へのフォーカシングに際して緩い負のパワーのレンズ群Ｆｎ１を像側に移動することで収差変動をなるべく小さくするためのものである。レンズ群Ｆｎ１だけではフォーカス敏感度が小さいため、その補助として、レンズ群Ｆｎ２を像側に少量駆動している。
【００５２】
条件式（４）は条件式（ａ２）を満足する広角領域の第２のズーム位置において無限遠から至近距離へのフォーカシングに際してレンズ群Ｆｎ１を物体側へ移動し、フォーカス敏感度が大きいレンズ群Ｆｎ２を積極的に像側に移動するものである。これにより、少ない移動量でフォーカシングを行うことを容易にしている。レンズ群Ｆｎ２の移動の際、発生する像面変動を緩い負のパワーのレンズ群Ｆｎ１を少量物体側に移動して補正している。どちらの方法でも、フォーカシングに際して収差変動が小さく、移動量を抑える効果を得ることが出来る。
【００５３】
条件式（３）及び（４）は、それぞれの条件下において、下記の数値範囲を満たすと、より好ましい。
【００５４】
２．２＜（Ｄｎ１ｗ／ｆＦｎ１）／（Ｄｎ２ｗ／ｆＦｎ２）＜８．０・・・（３ａ）
−３．０＜（Ｄｎ１ｗ／ｆＦｎ１）／（Ｄｎ２ｗ／ｆＦｎ２）＜−０．１２
・・・（４ａ）
尚、条件式（ａ２）は、レンズ群Ｆｎ１とレンズ群Ｆｎ２を上述のように移動することが好ましい焦点距離領域（広角領域）を表している。
【００５５】
条件式（ａ２）を満たす焦点距離領域は、短焦点距離側で、例えば１つの負の屈折力のレンズ群のみでフォーカシングを行った場合に像面湾曲の変動が大きく生じてくる領域である。各実施例のズームレンズでは、条件式（ａ２）を満足する広角領域で、これらの駆動条件を満たすことがより好ましい。
【００５６】
次に、レンズ群Ｆｎ２は、広角端から望遠端へのズーミングに際して、物体側に移動することが好ましい。レンズ群Ｆｎ２は、フォーカシングに際して望遠端において、像側へのフォーカス移動量が最も大きくなるため、その移動スペースを確保するため、広角端から望遠端へのズーミングに際して物体側に移動すると良い。また、レンズ群Ｆｎ２は望遠端における焦点距離を長くするために、後側主点位置を物体側に移動させるためにも、広角端から望遠端へのズーミングに際して物体側への駆動が好ましい。
【００５７】
次に、レンズ群Ｆｎ１とレンズ群Ｆｎ２は、それぞれ２枚以下のレンズより構成されることが好ましい。それにより、フォーカシング駆動用のアクチュエーターへの負荷を軽減し、静音かつ高速のフォーカシングが容易になる。レンズ群Ｌｖの焦点距離をｆＬｖ、レンズ群Ｌｐの焦点距離をｆＬｐとする。このとき、次の条件式のうち１以上を満足するのが良い。
【００５８】
０．０５＜｜ｆＬｖ／ｆｔ｜＜０．３０    ・・・（５）
０．０５＜ｆＬｐ／ｆｔ＜０．４０        ・・・（６）
０．１０＜｜ｆＦｎ１／ｆｔ｜＜０．８０  ・・・（７）
０．０５＜｜ｆＦｎ２／ｆｔ｜＜０．４０  ・・・（８）
【００５９】
条件式（５）乃至（８）は、ズーミングによる収差変動の軽減と全系の小型化を図るためのものである。条件式（５）乃至（８）の上限値を逸脱すると、全系が大型化し、下限値を逸脱すると、各レンズ群のパワーが強くなり過ぎて、ズーミングによる収差変動が大きくなってしまう。条件式（５）乃至（８）は、より好ましくは下記の数値範囲を満たすと良い
【００６０】
０．０７＜｜ｆＬｖ／ｆｔ｜＜０．２５    ・・・（５ａ）
０．０８＜ｆＬｐ／ｆｔ＜０．３０        ・・・（６ａ）
０．１５＜｜ｆＦｎ１／ｆｔ｜＜０．６０  ・・・（７ａ）
０．０７＜｜ｆＦｎ２／ｆｔ｜＜０．３０  ・・・（８ａ）
【００６１】
以下、各実施例におけるレンズ構成について説明する。実施例１のズームレンズは、物体側より像側へ順に、次のとおりである。正の屈折力の第１レンズ群Ｌ１、負の屈折力の第２レンズ群Ｌ２、開口絞りＳＰを有する正の屈折力の第３レンズ群Ｌ３、負の屈折力の第４レンズ群Ｌ４、正の屈折力の第５レンズ群Ｌ５、負の屈折力の第６レンズ群Ｌ６より構成される。
【００６２】
広角端から望遠端へのズーミングに際し、第２レンズ群Ｌ２は不動で、第１レンズ群Ｌ１、第３レンズ群Ｌ３乃至第６レンズ群Ｌ６が物体側に互いに異なった軌跡で移動している。第２レンズ群Ｌ２はレンズ群Ｌｖ、第３レンズ群Ｌ３はレンズ群Ｌｐに相当する。第４レンズ群Ｌ４はレンズ群Ｆｎ１、第６レンズ群Ｌ６はレンズ群Ｆｎ２に相当する。第５レンズ群Ｌ５がレンズ群Ｌｐ２に相当する。
【００６３】
条件式（ａ１）を満たす望遠領域全域で、無限遠から至近物体へのフォーカシングに際し、レンズ群Ｆｎ１は物体側に、レンズ群Ｆｎ２は像側に移動し、かつ条件式（１）を満たしている。それにより望遠領域において無限遠から物体距離１．２ｍまでの全物体距離で、フォーカシングに際して少ない駆動量で球面収差の変動を良好に補正している。また、実施例１では、レンズ群Ｆｎ１とレンズ群Ｆｎ２の間に正の屈折力のレンズ群Ｌｐ２を配置し、かつ条件式（３）を満たしている。このため、レンズ群Ｆｎ２でのフォーカス敏感度を得やすくなっている。
【００６４】
また、条件式（ａ２）を満足する広角領域全域で、無限遠から至近距離へのフォーカシングに際してレンズ群Ｆｎ１とレンズ群Ｆｎ２をいずれも像側に駆動し、かつ条件式（３）を満たしている。比較的パワーが弱いレンズ群Ｆｎ１を像側に大きく駆動することで、収差変動を生じさせずに主なフォーカシング効果を得ており、その駆動量を抑制するために、フォーカス敏感度が大きいレンズ群Ｆｎ２を同じく像側に、少量駆動させている。
【００６５】
条件式（ａ１），（ａ２）を満足しない中間領域において、無限遠から至近距離へのフォーカシングに際しては、レンズ群Ｆｎ１とレンズ群Ｆｎ２の移動方向は設計上任意に定められる。また、広角端から望遠端へのズーミングに際して、レンズ群Ｆｎ２を像側から物体側に駆動させている。それにより、負の屈折力のレンズ群Ｆｎ２が望遠端において、フォーカシングに際して像側へ大きく駆動するための、移動スペースを十分長く確保している。
【００６６】
それと同時に、望遠端における全系の焦点距離を長くするために、後側主点位置を物体側に移動させる効果も得ている。また、レンズ群Ｆｎ１とレンズ群Ｆｎ２はそれぞれ、１枚、又は２枚のレンズで構成されており、それによりアクチュエーターへの負荷を軽減し、静音かつ高速駆動を容易にしている。また、レンズ群Ｌｖ、レンズ群Ｌｐ、レンズ群Ｆｎ１、レンズ群Ｆｎ２が、それぞれ条件式（５），（６），（７），（８）を満たしており、ズーミングによる収差変動の軽減と全系の小型化を図っている。
【００６７】
実施例２は、物体側より像側へ順に、次のとおりである。正の屈折力の第１レンズ群Ｌ１、負の屈折力の第２レンズ群Ｌ２、正の屈折力の第３レンズ群Ｌ３、負の屈折力の第４レンズ群Ｌ４、正の屈折力の第５レンズ群Ｌ５、負の屈折力の第６レンズ群Ｌ６、正の屈折力の第７レンズ群Ｌ７で構成される。第３レンズ群Ｌ３は開口絞りＳＰを有している。
【００６８】
広角端から望遠端へのズーミングに際し、第２レンズ群Ｌ２と第７レンズ群Ｌ７が不動で、第１レンズ群Ｌ１、第３レンズ群Ｌ３乃至第６レンズ群Ｌ６が物体側に移動している。第２レンズ群Ｌ２はレンズ群Ｌｖ、第３レンズ群Ｌ３はレンズ群Ｌｐに相当する。第４レンズ群Ｌ４はレンズ群Ｌｎ１、第６レンズ群Ｌ６はレンズ群Ｌｎ２に相当する。第５レンズ群Ｌ５はＬｐ２に相当する。
【００６９】
実施例２は実施例１に比べて、広角領域でのフォーカシング駆動が異なっている。実施例２では、条件式（ａ２）を満足する広角領域全域で、レンズ群Ｆｎ１を物体側に、レンズ群Ｆｎ２を像側に移動し、かつ条件式（４）を満たしている。フォーカシング敏感度が大きいレンズ群Ｆｎ２を像側に移動することで、フォーカシング効果を得ており、その際、生じる像面変動を、レンズ群Ｆｎ１を物体側に少量移動して補正している。
【００７０】
この方法でも、実施例１と同様に、全物体距離で高い光学性能を有し、かつフォーカシング駆動量を軽減することが出来る。その他の各レンズ群の駆動や光学作用は、実施例１と同様である。
【００７１】
実施例３は、各レンズ群の数、各レンズ群の屈折力、ズーミングに際しての移動条件等のズームタイプは実施例１と同じである。フォーカシングに際しての各レンズ群の光学作用も実施例１と同じである。
【００７２】
実施例４は、物体側より像側へ順に、次のとおりである。正の屈折力の第１レンズ群Ｌ１、負の屈折力の第２レンズ群Ｌ２、開口絞りＳＰを有する正の屈折力の第３レンズ群Ｌ３、負の屈折力の第４レンズ群Ｌ４、正の屈折力の第５レンズ群Ｌ５、負の屈折力の第６レンズ群Ｌ６より構成されている。
【００７３】
広角端から望遠端へのズーミングに際し、レンズ群Ｌ２、レンズ群Ｌ５は不動で、第１レンズ群Ｌ１、第３レンズ群Ｌ３、第５レンズ群Ｌ５が物体側に移動し、第４レンズ群Ｌ４が像側に移動している。第２レンズ群Ｌ２はレンズ群Ｌｖ、第３レンズ群Ｌ３はレンズ群Ｌｐに相当する。第４レンズ群Ｌ４はレンズ群Ｆｎ１、第６レンズ群Ｌ６はレンズ群Ｆｎ２に相当する。第５レンズ群Ｌ５はレンズ群Ｌｐ２に相当する。フォーカシングに際してのレンズ群Ｆｎ１、レンズ群Ｆｎ２の移動条件、光学作用は実施例２と同じである。
【００７４】
次に実施例１乃至４に示したズームレンズを撮像装置に適用した実施例を図１３を用いて説明する。本発明の撮像装置はズームレンズを含む交換レンズ装置と、交換レンズ装置とカメラマウント部を介して着脱可能に接続され、ズームレンズが形成する光学像を受光して、電気的な画像信号に変換する撮像素子を含むカメラ本体とを備えている。
【００７５】
図１３は一眼レフカメラの要部概略図である。図１３において、１０は実施例１乃至４のズームレンズ１を有する撮影レンズである。ズームレンズ１は保持部材である鏡筒２に保持されている。２０はカメラ本体であり、撮影レンズ１０からの光束を上方に反射するクイックリターンミラー３、撮影レンズ１０の像形成位置に配置された焦点板４より構成されている。更に、焦点板４に形成された逆像を正立像に変換するペンタダハプリズム５、その正立像を観察するための接眼レンズ６などによって構成されている。
【００７６】
７は感光面であり、ＣＣＤセンサやＣＭＯＳセンサ等のズームレンズによって形成される像を受光する固体撮像素子（光電変換素子）や銀塩フィルムが配置される。撮影時にはクイックリターンミラー３が光路から退避して、感光面７上に撮影レンズ１０によって像が形成される。実施例１乃至４にて説明した利益は、本実施例に開示したような撮像装置において効果的に享受される。また本発明のズームレンズはクイックリターンミラーのない、ミラーレスのカメラにも同様に適用することができる。またプロジェクター用の画像投射光学系に適用することもできる。
【００７７】
以下に実施例１乃至４に対応する数値実施例１乃至４を示す。各数値実施例においてｉは物体側からの面の順番を示す。数値実施例においてｒｉは物体側より順に第ｉ番目のレンズ面の曲率半径、ｄｉは物体側より順に第ｉ番目のレンズ厚及び空気間隔、ｎｄｉとνｄｉは各々物体側より順に第ｉ番目のレンズの材料の屈折率とアッベ数である。ＢＦはバックフォーカスである。
【００７８】
また、焦点距離、Ｆナンバー等のスペックに加え、像高は半画角を決定する最大像高、レンズ全長は第１レンズ面から像面までの距離である。バックフォーカスＢＦは最終レンズ面から像面までの長さを示している。また、各レンズ群データは、各レンズ群の焦点距離、光軸上の長さ（レンズ構成長）、前側主点位置、後側主点位置を表している。また、各光学面の間隔ｄが（可変）となっている部分は、ズーミングに際して変化するものであり、別表に焦点距離に応じた面間隔を記している。尚、以下に記載する数値実施例１乃至４のレンズデータに基づく、各条件式の計算結果を表１に示す。表１においてｆｉは第ｉレンズ群の焦点距離である。
【００７９】
（数値実施例１）
単位 mm
面データ
面番号       r        d      nd         νd       有効径
1         58.174    3.98   1.48749    70.2       31.75
2       -716.754    0.15                         31.40
3         91.572    1.50   1.76200    40.1       30.93
4         36.546    4.85   1.49700    81.5       29.88
5        315.657  (可変)                         29.38
6        -96.801    1.10   1.67003    47.2       18.21
7         19.596    3.62   1.84666    23.8       17.88
8        110.838    1.08                         17.58
9        -61.781    1.00   1.83400    37.2       17.56
10         71.031  (可変)                         17.62
11         83.523    2.82   1.77250    49.6       19.11
12        -76.891    0.15                         19.03
13         32.395    4.80   1.56384    60.7       18.62
14        -42.394    1.10   1.90366    31.3       17.89
15        171.201    1.58                         17.53
16(絞り)    ∞     (可変)                         17.21
17         42.238    1.00   1.84666    23.8       16.90
18         26.707  (可変)                         16.47
19         81.130    2.98   1.48749    70.2       16.35
20        -43.400    0.15                         16.25
21         30.471    1.81   1.51633    64.1       15.95
22        184.804  (可変)                         15.69
23        -58.790    1.48   1.84666    23.8       15.02
24        -27.146    0.80   1.51742    52.4       15.01
25         22.680                                 14.62
【００８０】
各種データ
ズーム比     3.68 
広角     中間     望遠
焦点距離      54.36   133.00   199.99  
Fナンバー      4.14     5.22     6.32  
半画角（度）  14.11     5.86     3.91  
像高          13.66    13.66    13.66  
レンズ全長   129.39   161.77   167.04  
BF            46.78    66.90    78.18  
d 5            2.58    35.03    40.39  
d10           28.85    13.62     1.50  
d16            0.60     3.18     5.68  
d18            8.41     4.43     2.67  
d22            6.21     2.66     2.65  
【００８１】
ズームレンズ群データ
群  始面    焦点距離  レンズ構成長  前側主点位置  後側主点位置
1    1     114.50        10.48        -1.38         -8.18
2    6     -32.23         6.80         3.68         -0.54
3   11      40.40        10.45        -0.76         -7.47
4   17     -88.40         1.00         1.52          0.96
5   19      32.09         4.94         1.60         -1.76
6   23     -39.63         2.28         0.81         -0.50
【００８２】
（数値実施例２）
単位 mm
面データ
面番号       r        d      nd         νd       有効径
1         70.891    3.58   1.51633    64.1       41.31
2        193.270    0.15                         40.96
3         59.812    2.10   1.80100    35.0       40.31
4         39.133    6.94   1.49700    81.5       38.65
5       1058.353  (可変)                         38.05
6      -1056.470    1.10   1.74400    44.8       20.04
7         17.176    3.66   1.84666    23.8       19.08
8         42.280    1.59                         18.55
9        -91.301    1.00   1.83400    37.2       18.54
10         60.053  (可変)                         18.57
11         60.375    3.07   1.85026    32.3       21.66
12        -88.059    1.25                         21.56
13         34.840    4.67   1.60311    60.6       20.40
14        -61.792    1.10   1.85026    32.3       19.43
15        157.518    1.58                         18.82
16(絞り)    ∞     (可変)                         18.28
17         22.013    4.90   1.48749    70.2       17.39
18       -133.181    0.80   1.80000    29.8       16.07
19         19.935  (可変)                         15.05
20         34.390    1.83   1.79952    42.2       14.26
21       -141.317  (可変)                         14.08
22       -493.887    0.80   1.85026    32.3       13.15
23         24.248  (可変)                         12.98
24       -306.844    4.49   1.76182    26.5       29.17
25        -45.998                                 29.74
【００８３】
各種データ
ズーム比     4.24 
広角     中間     望遠
焦点距離      56.90   133.00   241.28  
Fナンバー      4.16     5.12     5.88  
半画角（度）  13.50     5.86     3.24  
像高          13.66    13.66    13.66  
レンズ全長   154.31   175.96   190.91  
BF            41.22    41.22    41.23  
d 5            6.75    28.34    43.34  
d10           33.46    14.18     1.50  
d16            0.60     2.56     3.21  
d19            7.50     2.50     9.67  
d21            1.87     4.43     1.92  
d23           18.29    38.11    45.42  
【００８４】
ズームレンズ群データ
群  始面    焦点距離  レンズ構成長  前側主点位置  後側主点位置
1    1     100.88        12.77        -0.49         -8.74
2    6     -26.28         7.35         4.08         -0.69
3   11      31.04        11.67         0.32         -7.50
4   17     -59.25         5.70         9.36          4.85
5   20      34.76         1.83         0.20         -0.82
6   22     -27.16         0.80         0.41         -0.02
7   24      70.50         4.49         2.98          0.45
【００８５】
（数値実施例３）
単位 mm
面データ
面番号       r        d      nd         νd       有効径
1         60.631    5.21   1.48749    70.2       41.40
2       7862.881    0.15                         40.97
3         85.981    1.50   1.76200    40.1       39.99
4         36.015    7.29   1.49700    81.5       38.10
5       1222.492  (可変)                         37.57
6       -134.620    1.10   1.72000    50.2       21.41
7         18.973    4.00   1.84666    23.8       20.73
8         59.365    1.82                         20.33
9        -54.736    1.00   1.78590    44.2       20.33
10        105.625  (可変)                         20.56
11        103.135    3.11   1.60311    60.6       21.08
12        -73.805    0.15                         21.30
13         28.509    5.24   1.51633    64.1       21.37
14        -40.484    1.10   1.90366    31.3       20.91
15        530.373    1.58                         20.68
16(絞り)    ∞     (可変)                         20.48
17         93.265    1.00   1.54814    45.8       19.50
18         35.984  (可変)                         19.21
19         70.458    3.49   1.77250    49.6       19.27
20        -45.042    0.15                         19.10
21         25.290    4.24   1.48749    70.2       17.64
22        -40.507    0.95   1.90366    31.3       16.57
23        168.274  (可変)                         15.86
24       8313.145    1.84   1.84666    23.8       14.65
25        -29.570    0.80   1.77250    49.6       14.35
26         23.520                                 13.41
【００８６】
各種データ
ズーム比     4.28 
広角     中間     望遠
焦点距離      56.00   132.97   239.84  
Fナンバー      4.01     4.79     5.83  
半画角（度）  13.71     5.87     3.26  
像高          13.66    13.66    13.66  
レンズ全長   139.38   171.16   179.21  
BF            46.10    63.40    78.88  
d 5            2.48    34.43    42.48  
d10           25.95    16.18     1.50  
d16            0.60     2.93     6.59  
d18           13.15     6.31     1.85  
d23            5.37     2.18     2.18  
【００８７】
ズームレンズ群データ
群  始面    焦点距離  レンズ構成長  前側主点位置  後側主点位置
1    1     109.00        14.16        -0.50         -9.81
2    6     -28.28         7.92         4.02         -1.12
3   11      45.59        11.18        -0.35         -7.82
4   17    -107.55         1.00         1.06          0.41
5   19      29.88         8.83        -0.08         -5.30
6   24     -33.12         2.64         1.49          0.04
【００８８】
（数値実施例４）
単位 mm
面データ
面番号       r        d      nd         νd       有効径
1         92.589    6.02   1.48749    70.2       56.00
2          ∞       0.18                         55.50
3         97.092    2.10   1.61340    44.3       53.80
4         43.605    9.10   1.49700    81.5       50.97
5        319.457  (可変)                         50.29
6       -303.457    1.20   1.83481    42.7       25.20
7         49.483    3.29                         24.32
8        -52.899    1.20   1.63854    55.4       24.28
9         52.899    2.97   1.84666    23.8       24.72
10       -695.319  (可変)                         25.00
11        120.536    4.25   1.49700    81.5       25.60
12        -53.106    0.15                         25.76
13         72.194    4.35   1.58913    61.1       25.41
14        -48.513    1.20   1.85026    32.3       25.09
15       -450.107    1.00                         24.86
16(絞り)    ∞     (可変)                         24.61
17        -38.832    1.20   1.70154    41.2       23.00
18         34.771    3.94   1.80518    25.4       23.66
19       -201.510  (可変)                         23.80
20       -172.746    2.80   1.69680    55.5       25.20
21        -41.775    0.15                         25.57
22         83.447    5.19   1.60311    60.6       25.75
23        -31.810    1.25   1.84666    23.8       25.66
24       -173.926    0.15                         25.87
25         41.105    2.35   1.77250    49.6       25.86
26        115.994  (可変)                         25.60
27         52.812    1.20   1.88300    40.8       24.28
28         23.125    4.52                         23.08
29        -54.690    3.27   1.80518    25.4       23.08
30        -27.476    2.34                         23.69
31        -25.266    1.25   1.88300    40.8       23.24
32        105.290    0.20                         25.02
33         59.711    4.67   1.69895    30.1       25.92
34        -61.802                                 26.52
【００８９】
各種データ
ズーム比     4.02 
広角     中間     望遠
焦点距離      72.20   135.00   290.00  
Fナンバー      4.23     4.59     5.83  
半画角（度）  16.68     9.10     4.27  
像高          21.64    21.64    21.64  
レンズ全長   183.72   213.27   237.71  
BF            53.46    54.35    61.28  
d 5            3.28    32.82    57.26  
d10           25.74    13.79     1.08  
d16            4.19    21.77    42.14  
d19           16.25    10.63     2.96  
d26            9.31     8.42     1.50  
【００９０】
ズームレンズ群データ
群  始面    焦点距離  レンズ構成長  前側主点位置  後側主点位置
1    1     134.10        17.40        -0.78        -12.21
2    6     -37.24         8.66         1.21         -5.05
3   11      55.07        10.95         1.80         -5.57
4   17     -92.00         5.14        -1.25         -4.19
5   20      34.57        11.89         3.18         -4.06
6   27     -40.12        17.45         0.98        -12.37
【００９１】
【表１】
0006341727.tif 000002
【符号の説明】
【００９２】
Ｌ１  第１レンズ群      Ｌ２  第２レンズ群      Ｌ３  第３レンズ群
Ｌ４  第４レンズ群      Ｌ５  第５レンズ群      Ｌ６  第６レンズ群
Ｌ７  第７レンズ群      Ｆｎ１  レンズ群Ｆｎ１  Ｆｎ２  レンズ群Ｆｎ２
Ｌｖ  レンズ群Ｌｖ      Ｌｐ  レンズ群Ｌｐ      Ｌｐ２  レンズ群Ｌｐ２
【図１】
0006341727.tif 000003
【図２】
0006341727.tif 000004
【図３】
0006341727.tif 000005
【図４】
0006341727.tif 000006
【図５】
0006341727.tif 000007
【図６】
0006341727.tif 000008
【図７】
0006341727.tif 000009
【図８】
0006341727.tif 000010
【図９】
0006341727.tif 000011
【図１０】
0006341727.tif 000012
【図１１】
0006341727.tif 000013
【図１２】
0006341727.tif 000014
【図１３】
0006341727.tif 000015